(57)【要約】      （修正有）【課題】机などの天板を保護すると共に、天板の縁部から遊具などの比較的小さな載置物が落下しないようにできる洗濯可能な天板載置物脱落防止カバーを提供する。【解決手段】テーブルの天板に掛け止められたシート状の天板カバーと、天板カバーの外周に沿って着脱可能に連結される枠部材６とからなる天板載置物脱落防止カバーであり、天板カバーは、テーブルの天板上に載置されるシート状のカバー本体１Ａと、カバー本体の裏面に設けられて天板に着脱可能に掛止められる掛止ベルト２と、カバー本体の上面に設けられて、天板外周に沿って無端状に形成されたファスナーの一方の構成部とを有し、枠部材は、ファスナーの一方の構成部に対応したファスナーの他方の構成部と、ファスナーの他方の構成部を底面に有し、ゴムまたはエラストマーのパイプまたは柱状体からなる弾性芯材を筒状部８に内蔵した縁本体とからなる。【選択図】図１
0003201206.tif 000002
【実用新案登録請求の範囲】
【請求項１】
テーブルに掛け止められて天板上に敷設されるシート状の天板カバーと、該天板カバーの上面でテーブルの天板外周に沿って着脱可能に連結される枠部材とからなる天板載置物脱落防止カバーであって、
天板カバーが、テーブルの天板上に載置されるシート状のカバー本体と、
該カバー本体の裏面に設けられて天板に着脱可能に掛止められる掛止ベルトと、
前記カバー本体の上面に設けられて、天板外周に沿って無端状に形成されたファスナーの一方の構成部とを有しており、
枠部材が、前記ファスナーの一方の構成部に対応した脱着可能なファスナーの他方の構成部と、該ファスナーの他方の構成部を底面に有し、ゴムまたはエラストマーのパイプまたは柱状体からなる弾性芯材を筒状部に内蔵した縁本体とからなっていることを特徴とする天板載置物脱落防止カバー。
【請求項２】
ファスナーが面ファスナーからなっていることを特徴とする請求項１に記載の天板載置物脱落防止カバー。
【請求項３】
カバー本体の外周端部に沿って第１縁部材が形成されており、
枠部材が、筒状部の底面に前記第１縁部材と上下に整合する第２縁部材を有していることを特徴とする請求項１または２に記載の天板載置物脱落防止カバー。
【請求項４】
掛止ベルトが、ベルト状の弾性材からなってカバー本体の裏面で四隅の角部にそれぞれ斜めに掛け渡された隅部掛止ベルトと、カバー本体の対向する辺にそれぞれ基端が固着され先端が自由端となると共に、その先端に長さ調整可能に係合することができる一対の係合構成部が形成されたシート緊張用ベルトとからなっていることを特徴とする請求項１から３のいずれかに記載の天板載置物脱落防止カバー。
【考案の詳細な説明】
【技術分野】
【０００１】
本考案は、木製テーブルの上で、ブロックや玩具を用いて遊ぶ場合に、テーブルの上面を保護しながら上面の載置物の落下を防止することができる天板載置物脱落防止カバーに関するものである。
【背景技術】
【０００２】
従来、例えば実用新案登録第３１１６４２７号の天板外周保護カバーでは、天板の外周を覆うための幅の広いゴム製の環状部材であって、前記部材の外周を衝撃の吸収・吸水性のある素材でできた長い布状部材で覆い、前記衝撃の吸収・吸水性のある素材でできた長い布状部材の両端を留め具ではさんで留めるよう構成し、汚れた前記衝撃の吸収・吸水性のある素材でできた長い布状部材だけを、取替え洗濯可能にした構成が知られている。
また、実用新案登録第３１７２３０５号の飛行機・新幹線等座席テーブルに取り付けるプレーマット玩具では、飛行機内の座席テーブルに取付ける適度なサイズの長方形の生地を２枚用意し、一方を基布表地１、他方を基布裏地とし、表裏で一体の基布体とする。重ね合わせた基布表地と基布裏地との間に綿を挟み込む。基布表地において、カギの玩具、リンゴを模倣した鏡、携帯電話を模倣した玩具、お菓子を模倣した玩具等の乳幼児玩具を着脱自在に取付ける。長二辺のそれぞれにバランス良く二箇所、短二辺の真ん中にそれぞれ一箇所ベルト３の一端を、基布表地と基布裏地との間に挟み込み、ベルトの裏側先端近くに面ファスナー雄を設け、これらのベルトと対称的位置にあるベルトに面ファスナー雌を設け、座席テーブルに固定する、という構成が開示されている。
しかし、いずれも天板上の遊具などの載置物を自由に移動することができ、同時に天板上からの落下を防止することはできなかった。
【先行技術文献】
【特許文献】
【０００３】
【特許文献１】実用新案登録第３１１６４２７号公報
【特許文献２】実用新案登録第３１７２３０５号公報
【考案の概要】
【考案が解決しようとする課題】
【０００４】
この考案の解決しようとする課題は、机などの天板を保護すると共に、天板の縁部から天板上の遊具などの比較的小さな載置物が落下しないように保護することができる洗濯可能な天板載置物脱落防止カバーを提供することにある。
【課題を解決するための手段】
【０００５】
本考案は、上記課題を解決するために、請求項１の考案では、
テーブルに掛け止められて天板上に敷設されるシート状の天板カバーと、該天板カバーの上面でテーブルの天板外周に沿って着脱可能に連結される枠部材とからなる天板載置物脱落防止カバーであって、
天板カバーが、テーブルの天板上に載置されるシート状のカバー本体と、
該カバー本体の裏面に設けられて天板に着脱可能に掛止められる掛止ベルトと、
前記カバー本体の上面に設けられて、天板外周に沿って無端状に形成されたファスナーの一方の構成部とを有しており、
枠部材が、前記ファスナーの一方の構成部に対応した脱着可能なファスナーの他方の構成部と、該ファスナーの他方の構成部を底面に有し、ゴムまたはエラストマーのパイプまたは柱状体からなる弾性芯材を筒状部に内蔵した縁本体とからなっていることを特徴とする。
請求項２の考案では、
前記ファスナーが面ファスナーからなっていることを特徴とする。
請求項３の考案では、
前記カバー本体の外周端部に沿って第１縁部材が形成されており、
枠部材が、筒状部の底面に前記第１縁部材と上下に整合する第２縁部材を有していることを特徴とする。
請求項４の考案では、
前記掛止ベルトが、ベルト状の弾性材からなってカバー本体の裏面で四隅の角部にそれぞれ斜めに掛け渡された隅部掛止ベルトと、カバー本体の対向する辺にそれぞれ基端が固着され先端が自由端となると共に、その先端に長さ調整可能に係合することができる一対の係合構成部が形成されたシート緊張用ベルトとからなっていることを特徴とする。
【考案の効果】
【０００６】
本考案の天板載置物脱落防止カバーは、机などの天板に容易に着脱することができる天板載置物脱落防止カバーであって、天板上面を保護することができると共に、天板の縁部から天板上に置かれた遊具などの比較的小さな載置物が、天板の縁部から下に落下しないように保護することができる隆起枠部を設けており、この隆起枠部に載置物や遊戯者がぶつかっても、衝撃を収集することができるようにした。
この天板載置物脱落防止カバーは、天板カバーと枠部材とが着脱できるので、汚れた場合には分離して洗濯することもできる。
【図面の簡単な説明】
【０００７】
【図１】図１は天板載置物脱落防止カバーをテーブルに装着した状態の要部を示す斜視図である。
【図２】図２は同取り付け状態を示す分解斜視図である。
【図３】図３は同底面図である。
【図４】図４は、テーブルの角部における天板載置物脱落防止カバーの要部を示す分解側面図である。
【考案を実施するための形態】
【０００８】
この考案の天板載置物脱落防止カバーは、テーブルに掛け止められるカバーに、隆起枠部を備えた縁部材を着脱可能に連結して、装着や洗濯の容易化と、天板上の遊具などの載置物の落下を防止し、また隆起枠部への外部からの衝撃の緩衝を実現した。
【実施例１】
【０００９】
図１および図２に示す本実施例の天板載置物脱落防止カバー２０は、テーブル１１に掛け止められて天板１２上に載置されるシート状の天板カバー１と、該天板カバー１の上面外周に沿って着脱可能に連結される無端状で矩形枠状の枠部材６とからなっている。
【００１０】
［テーブル］
ここでテーブル１１は、子供が遊びやすい比較的に支脚部１３の高さが低い木製の机を例示したが、この考案では、机の材質や、支脚部１３の高さなどが特に限定されるものではない。
また、この考案で、テーブル１１は、支脚部を有しない折畳式のテーブルなど、要するに水平に支持して使用される天板を有するものであればよい。
【００１１】
［天板カバー］
天板載置物脱落防止カバー２０は、天板カバー１と縁部材５とからなっている。
天板カバー１は、テーブル１１の天板１２上に載置されるシート状のカバー本体１Ａと、該カバー本体１Ａの裏面に設けられて天板１２に着脱可能に掛止められる掛止ベルトとして隅部掛止ベルト２と、シート緊張用ベルト３とを有している（図３参照）。
【００１２】
［隅部掛止ベルト］
ここで隅部掛止ベルト２は、ベルト状のゴムバンドからなっており、カバー本体１Ａの四隅の裏面で、各隅部を斜めに横切るベルト状に配置されて、ベルトの両端がカバー本体１Ａの裏面に縫着されている。
そして、各隅部掛止ベルト２は、それぞれの中途箇所を引っ張って、天板１２の近接する各角部に掛止めることができる。
【００１３】
［シート緊張用ベルト］
シート緊張用ベルト３は、天板１２の対向する一対の辺側で、基端がカバー本体１Ａの裏面に縫着されて一対がそれぞれ延びて先端が自由端となっている。
その一対のシート緊張用ベルト３の先端には、一対の係合する係合部の一方及び他方の係合構成部、本実施例では面ファスナーの一方（例えばフック側）３ａと、他方（例えばループ側）３ｂが固着されており、一方３ａが長く形成され、他方３ｂが短く形成されている。
【００１４】
そして、前記面ファスナーの一方３ａの長さの範囲内で長さ調整しながら他方３ｂを係合させて、一対のシート緊張用ベルト３の係合位置を調整して、カバー本体１Ａがテーブル１１の天板１２に密着するように緊張させるようになっている。
この考案では、掛止ベルトとして隅部掛止ベルト２とシート緊張用ベルト３を用いたが、いずれか一方のみを設けてもよい。
【００１５】
また、一対の係合部は、面ファスナーが便利であるが、一方をフックや小鉤とし、他方を長さ調節可能に長さ方向に多段に配置した受部とするなど、公知の係合構造を用いてもよい。
天板カバー１のカバー本体１Ａは、布地や合成樹脂シートからなっており、素材が弾性を有する場合や厚みが厚い場合には、天板１２への緩衝力が高めることができる。
【００１６】
［第１縁部材］
上記カバー本体１Ａの外周縁に沿って全周にわたって第１縁部材５が縫着されている。
そして、上記第１縁部材５の内周に沿って面ファスナーの一方（図示例ではフック側）１０ａがカバー本体１Ａの上面に縫着または接着されている。
従って、面ファスナーの一方１０ａは、第１縁部材５と相似形で第１縁部材５の内周と接して全周にわたって形成されているので、図示例では無端の略矩形状になっている。
【００１７】
［枠部材］
枠部材６は、隆起枠部７と、該隆起枠部７の底面に縫着された第２縁部材９と、前記天板カバー１に設けられた面ファスナーの一方１０ａに対応する他方（ループ側）１０ｂとからなっている。
【００１８】
［隆起枠部］
隆起枠部７は、縫着された長い袋からなる筒状部８に、エラストマーのパイプまたは柱状体からなる弾性芯材８ａを内蔵して、筒状部８の芯材としている。
本実施例では、弾性芯材８ａとしてゴムホースを用いている。
【００１９】
筒状部８の底面には第２縁部材９が縫着されている。
第２縁部材９は、前記天板カバー１の第１縁部材５と上下に整合して位置決めしうるように、第２縁部材９の先端側が筒状部８の底面から突出し、第２縁部材９の先端が第１縁部材５の先端と揃うように形成されている。
【００２０】
また、筒状部８の底面には、前記面ファスナーの一方１０ａと着脱可能に係合しうるように面ファスナーの他方１０ｂが縫着や接着などで形成される（図４参照）。
しかし、筒状部８の素材がモヘアやニット、パイル繊維などのループ機能を有する素材の場合には、前記第２縁部材９を除いた底面が面ファスナーの他方１０ｂとして機能するので、別途、前記面ファスナーの他方１０ｂを設ける必要がない。
その場合、筒状部８は、全体が同じ素材で形成したが、底面のみをループ機能を有する生地としてもよい。
【００２１】
上記構成からなっているので、天板カバー１をテーブル１１の天板１２に掛け止めて固定し、固定された天板カバー１の第１縁部材５と上下に整合するように枠部材６の第２縁部材９を重ね合わせることで正確に位置決めを行うことができる。
そして、筒状部８の底面は面ファスナーの他方（ループ）１０ｂとなっているので、面ファスナーの一方（フック側）１０ａと係合して枠部材６を天板カバー１に着脱可能に固定する。
【００２２】
これにより、天板１２の外周に沿って隆起枠部７が囲んで、筒状部８の高さの枠状の囲いが形成される。
従って、子供などの遊戯者は天板１２上で、玩具や遊具などの載置物で遊んでも、カバー本体１Ａによって天板１２が保護される。
【００２３】
また、前記載置物が天板１２の縁部側に移動しても、隆起枠部７の高さによって天板１２上から落下することを防ぐことができる。
前記載置物や遊戯者が隆起枠部７に接触しても、弾性を有しているので衝撃を緩和、吸収させることができ、安全である。
【００２４】
使用後には、前記隅部掛止ベルト２やシート緊張用ベルト３を係合状態から外して開放状態にすることで、テーブル１１の天板１２から天板載置物脱落防止カバー２０を取り外すことができ、テーブル１１を通常使用することができる。
【００２５】
テーブル１１から取り外した天板載置物脱落防止カバー２０は、前記面ファスナー１０ａ、１０ｂの係合を外すことで、天板カバー１と、枠部材６とに分離することができるので、天板カバー１が汚れた場合には洗濯することができる。
また、隆起枠部７の第２縁部材５の基端側を筒状体８に縫着や接着せずに、係脱可能な係合部とすることで、例えば第２縁部材５の基端側を面ファスナーのフック面とすることで、第２縁部材９を筒状体８から分離して、第２縁部材９を洗濯することができる。
【００２６】
更に、筒状部８を密封せず、図示しない開口部を設けることで内蔵した弾性芯材８ａを外して洗濯しうるようにしてもよい。
また、本実施例では、天板カバー１と枠部材６とを面ファスナーで係脱する構成を例示したが、その他の係脱可能な公知のファスナー構造を用いてもよい。
この考案で係脱可能なファスナーとしては、面ファスナーの他、例えば、スナップファスナー、線ファスナー、ボタンとボタンホール、留め具と受部などの雄雌一対の係脱構造を含むものとする。
その他、この考案の要旨を変更しない範囲で種々設計変更することができる。
【符号の説明】
【００２７】
１    天板カバー
１Ａ  カバー本体
２    隅部掛止ベルト
３    緊張用ベルト
３ａ、３ｂ  着脱部
５    第１縁部材
６    枠部材
７    隆起枠部
８    筒状部
８ａ  弾性芯材
９    第２縁部材
１０ａ  一方の係合部（フック）
１０ｂ  他方の係合部（ループ）
１１    テーブル
１２    天板
１３    支脚部
【図１】
0003201206.tif 000003
【図２】
0003201206.tif 000004
【図３】
0003201206.tif 000005
【図４】
0003201206.tif 000006